(57)【要約】【課題】組立性およびメンテナンス性に優れたドア構造を得る。【解決手段】ガイド部材５１を取り付けたドアガラス４をドア前面パネル４３上に載置して下端部を保持部５７で保持し、裏側から筒体５０a,５０b内に接着剤を注入してドアガラス４を仮固定した後に、ドア前面パネル４３の上部前面に化粧パネルを取り付けてドアガラス４の上端部を固定するだけで、ドアガラス４をドア前面パネル４３に取り付けることができる。したがって、ドアガラス４の組立性を向上させることができる。さらに、メンテナンスの際にドアガラス４を取り外す必要がある場合には、化粧パネル４４を取り外し、ドアガラス４を化粧パネル４４の保持部５７から上記接着剤の接着力よりも大きな力で引き抜くだけで、ドアガラス４を簡単に化粧パネル４４から取り外すことができる。したがって、メンテナンス性を向上させることができる。【選択図】図５
2013036636.tif 000002
【特許請求の範囲】
【請求項１】
加熱調理を行うための加熱室と、
上記加熱室の開口を開閉するドアと、
上記加熱室内の食材を加熱するための加熱部と
を備え、
上記ドアは、
ドアガラスと、
上記ドアガラスによって塞がれる開口部と、この開口部の周囲に設けられて上記ドアガラスの縁が取り付けられる枠体とを有する前面パネルと、
上記前面パネルにおける上記枠体に設けられると共に、端面が上記ドアガラスの表面に接触した中空の筒状を成し、上記ドアガラスを上記枠体に仮固定するための接着剤が注入される筒体と
を含むことを特徴とする加熱調理器。
【請求項２】
請求項１に記載の加熱調理器において、
上記筒体は、上記開口部の両側における上記両側の延在方向中間領域に設けられている
ことを特徴とする加熱調理器。
【請求項３】
請求項１あるいは請求項２に記載の加熱調理器において、
上記前面パネルにおける上記開口部の一側には、上記ドアガラスの一側辺が当接する段部が設けられており、
上記ドアガラスにおける上記一側辺に対向する他側辺には、上記前面パネル側に向かって突出すると共に、上記ドアガラスの上記他側辺に沿って延在する棒状の突起を有するガイド部材が取り付けられており、
上記前面パネルにおける上記一側に対向する他側には、上記ガイド部材の上記棒状の突起が挿入される溝が形成されており、
上記溝の幅は、上記突起の幅よりも広く設定されている
ことを特徴とする加熱調理器。
【請求項４】
請求項１から請求項３までの何れか一つに記載の加熱調理器において、
上記前面パネルにおける下端部には、上記ドアガラスの下端が挿入されて保持される保持部を設け、
上記前面パネルにおける上記開口部の上側には、ドアハンドルを有する化粧パネルが取り付けられ、化粧パネルの下端部で上記ドアガラスの上端部を外側から固定する
ことを特徴とする加熱調理器。
【発明の詳細な説明】
【技術分野】
【０００１】
この発明は、加熱調理器に関する。
【背景技術】
【０００２】
従来、加熱調理器としては、特開平１１‐１４４８５７号公報(特許文献１)に開示された高周波加熱調理器がある。
【０００３】
上記従来の高周波加熱調理器においては、ドアガラスの表面にフルオロアルキル基とシロキサン結合を有する膜を設け、上記ドアガラスの周囲の上記膜を除去した後に、上記ドアガラスとドア枠とをシリコンパテ等の接着体で接着している。
【０００４】
しかしながら、上記従来の高周波加熱調理器においては、上記ドアガラスの全周を接着体で上記ドア枠に固定するドア構造であるため、上記ドアガラスの全周に上記接着体を塗布する必要があり、組立性が悪いという問題がある。さらに、後のメンテナンスの際に上記ドアガラスを取り外す必要が生じた場合に、簡単に上記ドアガラスを取り外すことができないという問題がある。
【先行技術文献】
【特許文献】
【０００５】
【特許文献１】特開平１１‐１４４８５７号公報
【発明の概要】
【発明が解決しようとする課題】
【０００６】
そこで、この発明の課題は、組立性およびメンテナンス性に優れたドア構造を有する加熱調理器を提供することにある。
【課題を解決するための手段】
【０００７】
上記課題を解決するため、この発明の加熱調理器は、
加熱調理を行うための加熱室と、
上記加熱室の開口を開閉するドアと、
上記加熱室内の食材を加熱するための加熱部と
を備え、
上記ドアは、
ドアガラスと、
上記ドアガラスによって塞がれる開口部と、この開口部の周囲に設けられて上記ドアガラスの縁が取り付けられる枠体とを有する前面パネルと、
上記前面パネルにおける上記枠体に設けられると共に、端面が上記ドアガラスの表面に接触した中空の筒状を成し、上記ドアガラスを上記枠体に仮固定するための接着剤が注入される筒体と
を含むことを特徴としている。
【０００８】
上記構成によれば、ドアの前面パネルにおける開口部の周囲の枠体に設けられた中空の筒体に接着剤を注入して、上記ドアガラスを上記枠体に仮固定している。したがって、上記ドアガラスの全周を接着体でドア枠に固定する場合に比して、上記ドアガラスの上記前面パネルに対する組立性が容易になる。
【０００９】
さらに、上記ドアガラスは、上記筒体内の狭い箇所のみで接着剤による仮固定が行われている。したがって、メンテナンスの際に上記ドアガラスを取り外す必要が生じた場合には、上記ドアガラスを簡単に上記前面パネルから取り外すことができる。
【００１０】
さらに、接着剤注入用の上記筒体の端面は、上記ドアガラスの表面に接触している。したがって、上記前面パネルの裏側から上記筒体内に接着剤を注入して上記ドアガラスを仮固定する場合に、上記筒体内に注入された接着剤が上記ドアガラスの表面に漏れ出して上記ドアガラスの表面の美感が低下するのを防止できる。
【００１１】
また、１実施の形態の加熱調理器では、
上記筒体は、上記開口部の両側における上記両側の延在方向の中間領域に設けられている。
【００１２】
この実施の形態によれば、上記前面パネルの上記筒体に接着剤を注入して上記ドアガラスを仮固定することによって、上記ドアガラスにおける両側の延在方向の中間領域が仮固定される。したがって、上記ドアガラスの上辺部および下辺部を上記前面パネルに対して本固定した場合に生ずる上記ドアガラスにおける両側の延在方向中間領域での上記前面パネルからの浮きを、防止することができる。
【００１３】
また、１実施の形態の加熱調理器では、
上記前面パネルにおける上記開口部の一側には、上記ドアガラスの一側辺が当接する段部が設けられており、
上記ドアガラスにおける上記一側辺に対向する他側辺には、上記前面パネル側に向かって突出すると共に、上記ドアガラスの上記他側辺に沿って延在する棒状の突起を有するガイド部材が取り付けられており、
上記前面パネルにおける上記一側に対向する他側には、上記ガイド部材の上記棒状の突起が挿入される溝が形成されており、
上記溝の幅は、上記突起の幅よりも広く設定されている。
【００１４】
この実施の形態によれば、上記前面パネルにおける上記開口部の一側に設けられた段部に上記ドアガラスの一側辺を当接させて、上記ドアガラスで上記前面パネルの上記開口部を塞いだ場合には、上記ドアガラスの上記他側辺に取り付けられたガイド部材の棒状の突起が、上記前面パネルの上記他側に形成された溝に挿入される。その場合に、上記溝の幅は、上記突起の幅よりも広く設定されているので、上記溝と上記突起との隙間によって、上記ドアガラスを上記前面パネルの上記段部に当接させるように移動でき、上記前面パネルと上記ドアガラスとの組立性を向上させることができる。
【００１５】
より詳しく言えば、上記溝に上記突起を入れた状態で上記ドアガラスを上記前面パネルの上記段部に当接させるように移動させることができ、簡単に上記段部と上記ドアガラスとの間に隙間がないようにできる。
【００１６】
さらに、上記ドアガラスの上記一側辺が上記前面パネルにおける上記開口部の上記一側に設けられた段部に当接されているので、上記ドア前面パネルの上記一側と上記ドアガラスとの間に隙間がなく、上記ドアの美感を高めることができる。尚、上記ドアガラスと上記段部との間に隙間がある場合には視覚上目立ち、上記ドアの美感を損なうことになる。
【００１７】
また、１実施の形態の加熱調理器では、
上記前面パネルにおける下端部には、上記ドアガラスの下端が挿入されて保持される保持部を設け、
上記前面パネルにおける上記開口部の上側には、ドアハンドルを有する化粧パネルが取り付けられ、化粧パネルの下端部で上記ドアガラスの上端部を外側から固定する。
【００１８】
この実施の形態によれば、上記ドアガラスの下端を上記前面パネルの下端部に設けられた保持部によって保持し、上記前面パネルにおける上記開口部の上側に取り付けられた化粧パネルの下端部で上記ドアガラスの上端部を固定することによって、上記ドアガラスを上記前面パネルに対して本固定している。したがって、上記前面パネルに上記化粧パネルを取り付けるだけで上記ドアガラスを上記前面パネルに対して本固定でき、上記ドアガラスの上記前面パネルに対する組立性が容易になる。
【００１９】
さらに、メンテナンスの際に上記ドアガラスを取り外す必要が生じた場合には、上記化粧パネルを取り外し、上記ドアガラスを上記前面パネルの保持部から上記接着剤の接着力よりも大きな力で引き抜くだけで、上記ドアガラスを簡単に上記前面パネルから取り外すことができる。
【発明の効果】
【００２０】
以上より明らかなように、この発明の加熱調理器は、ドアの前面パネルにおける開口部の周囲の枠体に、上記開口部を塞ぐドアガラスの表面に端面が接触する中空の筒体を設けて、この筒体内に接着剤を注入して上記ドアガラスを上記枠体に仮固定するので、上記ドアガラスの全周を接着体でドア枠に固定する場合に比して、上記ドアガラスの上記前面パネルに対する組立性を容易にできる。
【００２１】
さらに、上記ドアガラスは上記筒体内の狭い箇所のみで接着剤による仮固定が行われている。したがって、メンテナンスに際して上記ドアガラスを取り外す必要が生じた場合には、上記ドアガラスを簡単に上記前面パネルから取り外すことができる。
【００２２】
さらに、接着剤注入用の上記筒体の端面が上記ドアガラスの表面に接触しているので、上記筒体内に注入された接着剤が上記ドアガラスの表面に漏れ出して、上記ドアガラスの表面の美感が低下するのを防止できる。
【図面の簡単な説明】
【００２３】
【図１】この発明の加熱調理器における正面斜視図である。
【図２】図１に示す加熱調理器の前側から見た縦断面の模式図である。
【図３】図１におけるドアの正面図,平面図および右側面図である。
【図４】ドア前面パネルの正面図である。
【図５】ドア前面パネルの斜視図である。
【図６】図３(a)におけるＡ‐Ａ'矢視断面の部分拡大図である。
【図７】図３(a)におけるＢ‐Ｂ'矢視断面の部分拡大図である。
【発明を実施するための形態】
【００２４】
以下、この発明を図示の実施の形態により詳細に説明する。
【００２５】
図１は、本実施の形態の加熱調理器における正面斜視図である。この加熱調理器は、直方体形状のケーシング１の正面に、下端側の辺を略中心に回動するドア２が取り付けられている。このドア２の上部にはハンドル３を取り付ける一方、略中央には耐熱性のドアガラス４を取り付けている。また、ドア２の図中右側には、操作パネル５を設けている。この操作パネル５は、カラー液晶表示部６とボタン群７とを有している。また、ケーシング１の上面における右側後方には排気ダクト８を設けている。さらに、ケーシング１の扉２の下方には、露受容器９を着脱自在に取り付けている。
【００２６】
図２は、図１に示す加熱調理器のドア２側(前側)から見た縦断面の模式図である。図２に示すように、この加熱調理器では、水タンク１１から供給された水を蒸気発生装置１２で加熱して飽和水蒸気を生成する。蒸気発生装置１２で生成された飽和水蒸気は、加熱室１３の図中右側面に取り付けられた循環ユニット１４における蒸気吸込口１５の加熱室１３側に、蒸気供給管１６から噴き出される。また、循環ユニット１４内には、蒸気吸込口１５に対向するように、ファンモータ１８によって回転駆動される循環ファン１７が配置されている。
【００２７】
上記加熱室１３の天面および図中左側面を覆うように、Ｌ字状に折り曲げられた蒸気ダクト１９を設けている。この蒸気ダクト１９は、加熱室１３の天面に固定された第１ダクト部２０と、第１ダクト部２０の左側から下側に屈曲する屈曲部２１と、加熱室１３の左側面に固定されて、屈曲部２１を介して第１ダクト部２０に連なる第２ダクト部２２とを含んでいる。そして、蒸気ダクト１９の第１ダクト部２０には、過熱蒸気生成ヒータ２３が収納されている。
【００２８】
そして、上記蒸気ダクト１９における第１ダクト部２０の図中右側は、接続管２５を介して循環ユニット１４の上部に設けられた蒸気供給口２６に連通している。加熱室１３の天板２７には複数の第１蒸気噴出口２８が設けられており、蒸気ダクト１９の第１ダクト部２０は、第１蒸気噴出口２８を介して加熱室１３内に連通している。一方、蒸気ダクト１９における第２ダクト部２２は、加熱室１３の左側面に設けられた複数の第２蒸気噴出口２９を介して加熱室１３内に連通している。
【００２９】
上記循環ユニット１４と過熱蒸気生成装置２４と加熱室１３とそれらを接続する接続部材とによって、蒸気の循環経路が形成されている。この循環経路における循環ユニット１４の加熱室１３との境界部に、蒸気発生装置１２で生成された飽和水蒸気が供給される。そして、供給された飽和水蒸気は、循環ファン１７の回転によって負圧になっている循環ユニット１４内に蒸気吸込口１５から強制的に吸い込まれて、上記循環経路を循環する循環気流に合流することになる。
【００３０】
こうして、上記循環ユニット１４内に吸い込まれた飽和水蒸気は、蒸気供給口２６から過熱蒸気生成装置２４内に噴き出される。そして、過熱蒸気生成ヒータ２３によって加熱されて過熱蒸気となる。この過熱蒸気の一部は、図中下側にある加熱室１３の天板２７に設けられた複数の第１蒸気噴出口２８から、加熱室１３内に下方に向って噴き出される。また、過熱蒸気の他の一部は、屈曲部２１および第２ダクト部２２を介して、加熱室１３の第２蒸気噴出口２９から加熱室１３内に噴き出される。
【００３１】
そして、上記加熱室１３内のトレイ３０上に搭載された被加熱物３１の上側が主に第１蒸気噴出口２８からの過熱蒸気によって加熱され、被加熱物３１の下側が主に第２蒸気噴出口２９からの過熱蒸気によって加熱される。被加熱物３１を加熱した後の過熱蒸気は、加熱室１３における上記右側面に、循環ユニット１４の蒸気吸込口１５に対向して形成された吸込口３２から循環ユニット１４内に吸い込まれ、上記蒸気循環経路を通って再び加熱室１３内に戻るという循環を繰り返すのである。
【００３２】
尚、上記加熱室１３における上記右側面および上記左側面には、トレイ３０の両端部を係止する係止部３３a,３３b,３３cが、上下方向３段に設けられている。
【００３３】
また、上記加熱室１３の下部には、図示しないマグネトロンが配置されている。このマグネトロンで発生したマイクロ波は、導波管(図示せず)によって加熱室１３の下部中央に導かれ、モータ３４によって駆動される回転アンテナ３５によって攪拌されながら加熱室１３内の上方に向かって放射されて被加熱物３１を加熱する。上記過熱蒸気生成ヒータ２３および上記マグネトロンで、加熱部を構成している。
【００３４】
また、上記ケーシング１内の下側には、冷却ファン(図示せず)と電装部品３６とを配置している。電装部品３６は、加熱調理器の各部を駆動する駆動回路やこの駆動回路を制御する制御回路等を含んでいる。
【００３５】
図３は、図１に示す加熱調理器のドア２における正面図(図３(a)),平面図(図３(b))および右側面図(図３(c))である。ドア２は、カラー液晶表示部６を臨む矩形の穴４１およびボタン群７の各ボタンが挿通される孔群４２が設けられた操作パネル５を有するドア前面パネル４３と、ドア前面パネル４３における前面に嵌め込まれるドアガラス４と、ドア前面パネル４３における前面上部に取り付けられる化粧パネル４４とを含んで構成されている。尚、ドアガラス４の周囲は塗装されて不透明になっており、中央の矩形領域４aが透明になっている。また、化粧パネル４４にはハンドル３が取り付けられている。
【００３６】
図４は、上記ドアガラス４と化粧パネル４４とを取り外した状態のドア前面パネル４３の正面図である。また、図５は、ドア前面パネル４３の斜視図である。
【００３７】
図４および図５に示すように、ドア前面パネル４３における操作パネル５の図４中左側の辺に沿って、ドアガラス４の図３a中右側(以下、単に右側と言う)の辺が当接する段部４５が設けられている。また、ドア前面パネル４３における図４中左側(以下、単に左側と言う)の辺に沿って、後に詳述するドアガラス４のガイド部材をガイドする溝４６が設けられている。また、ドア前面パネル４３における操作パネル５を除く領域であって、後に化粧パネル４４が取り付けられる領域を除く領域には、ドアガラス４を透過して加熱室１３内が見えるようにするための開口部４７が設けられている。
【００３８】
そして、上記ドア前面パネル４３における開口部４７の周囲にはドアガラス４を取り付けるための枠体４８が設けられており、枠体４８における開口部４７の両側に、接着剤注入用の貫通穴４９a,４９bが設けられている。この貫通穴４９a,４９bは矩形の断面形状を有する筒体５０a,５０bで構成されており、筒体５０a,５０bの上端はドア前面パネル４３にドアガラス４が嵌め込まれた際に、ドアガラス４の表面に当接するようになっている。
【００３９】
以下、上記ドアガラス４をドア前面パネル４３の前面に取り付ける手順について説明する。図６は、図３(a)におけるＡ‐Ａ'矢視断面の部分拡大図である。但し、図６においては、分かり易くするために、ドアガラス４,ドア前面パネル４３および上記ガイド部材のみを示している。
【００４０】
先ず、図６に示すように、ドアガラス４における図中左側(以下、単に左側と言う)の辺に沿って、ガイド部材５１を取り付ける。このガイド部材５１は、ドアガラス４の左側辺の長さと略同じ長さを有している。さらに、図６に示す断面視で、水平方向に延在する水平部材５１aと水平部材５１aの外端から垂直方向に且つ上方に向かって延在する垂直部材５１bとで概略Ｌ字状の断面形状を有している。また、水平部材５１aの図６中下面には、下方向に突出すると共に、ガイド部材５１の長手方向に延在する棒状の突起５１cを有している。
【００４１】
そして、上記ガイド部材５１における水平部材５１aの上面にドアガラス４における左側の下面を載せると共に、ドアガラス４における左側の端面を垂直部材５１bの内面に当接させて、ドアガラス４にガイド部材５１を接着等によって取り付ける。
【００４２】
次に、図６に示すように左側辺に沿ってガイド部材５１が取り付けられたドアガラス４における右側辺を、図５にも示すように、ドア前面パネル４３の段部４５に当接させる。この状態で、図６に示すように、ガイド部材５１の突起５１cをドア前面パネル４３の溝４６に挿入して、ガイド部材５１を、ドア前面パネル４３における左側の側板５２の上端面に載置する。こうすることによって、ドアガラス４は、ドア前面パネル４３における開口部４７の周囲の枠体４８に設けられたリブ５３,５４a,５４b,５５上に載置される。
【００４３】
上記ドア前面パネル４３は、ポリカーボネート等のプラスチックで構成される。その場合、上記ポリカーボネートの熱膨張率とドアガラス４の熱膨張率とには大きな差があるため、ドア前面パネル４３に対するドアガラス４の取り付けには公差を設ける必要がある。しかしながら、ドアガラス４の左右両側をドア前面パネル４３に対して固定すると、ドア前面パネル４３とドアガラス４との上記公差の範囲内での位置ズレを吸収することができない。一方において、ドア前面パネル４３とドアガラス４との位置ズレによって、ドア前面パネル４３の段部４５の位置に操作パネル５とドアガラス４との間に隙間が生ずることは、美感上好ましくない。
【００４４】
そこで、本実施の形態においては、上記ドア前面パネル４３における左側縁に沿って溝４６を設け、この溝４６の幅をガイド部材５１における突起５１cの幅よりも広く設定しておく。そして、ドアガラス４をドア前面パネル４３に取り付ける際には、ドアガラス４の右側辺をドア前面パネル４３の段部４５に当接させた状態で、ガイド部材５１の突起５１cをドア前面パネル４３の溝４６に挿入するのである。こうすることによって、溝４６と突起５１cとの隙間によって、ドアガラス４をドア前面パネル４３の段部４５に当接させるように移動させて、簡単にドアガラス４と段部４５との間に隙間ができないようにすることができる。したがって、ドア前面パネル４３とドアガラス４との組立性を向上できるのである。さらに、ドア前面パネル４３の操作パネル５とドアガラス４との間に隙間が生ずることがなく、ドア２の美感を高めることができる。尚、操作パネル５とドアガラス４との間に隙間がある場合には視覚上目立ち、ドア２の美感を損なうことになる。
【００４５】
こうして、上記ドアガラス４の右側辺をドア前面パネル４３の段部４５に当接させ、ガイド部材５１をドア前面パネル４３の側板５２上に載置してドアガラス４をリブ５３,５４a,５４b,５５上に載置した状態で、ドアガラス４をドア前面パネル４３の段部４５および溝４６をガイドとして図４中下側(図５中右下側)にスライドさせる。
【００４６】
図７は、図３(a)におけるＢ‐Ｂ'矢視断面の部分拡大図である。但し、図７では、分かり易くするために、ドアガラス４,ドア前面パネル４３および中間パネル(後述する)のみを示している。
【００４７】
図７に示すように、上記ドア前面パネル４３における図中下側の側板５６のドアガラス４側の縁がドアガラス４の表面と同方向に折り曲げられて、ドアガラス４の下端部が挿入されて保持される保持部５７を構成している。また、ドア前面パネル４３における上記下側に設けられたリブ５５には、下側に向かって高くなるように傾斜が設けられている。そして、リブ５５の側端面における最下位置５５aとドア前面パネル４３における保持部５７の内面５７aとの間隔が、ドアガラス４の厚みになるように構成されている。
【００４８】
したがって、上記ドア前面パネル４３上を図中下側にスライドされるドアガラス４の下端部が、リブ５５の上記側端面における最下位置５５aとドア前面パネル４３における保持部５７の内面５７aとによって保持されることになる。
【００４９】
この状態で、上記ドア前面パネル４３を裏返し、開口部４７の両側に設けられている筒体５０a,５０b内に接着剤が注入されて、ドアガラス４がドア前面パネル４３に対して仮固定される。ここで、図６に示すように、貫通穴４９aを構成する筒体５０aの図中上端はドアガラス４の表面に当接している。貫通穴４９bの場合も同様である。したがって、筒体５０a,５０b内に注入された接着剤がドアガラス４の表面に漏れ出して、ドアガラス４の表面の美感が低下しないのである。
【００５０】
また、上述したように、上記ドアガラス４の下端部は、上記ドア前面パネル４３の保持部５７によって保持される。一方、ドアガラス４の上端部は、後に詳述するように、上記中間パネルおよび化粧パネル４４によって固定される。したがって、ドアガラス４は、上下方向の中間領域でドア前面パネル４３から浮き易くなる。そこで、ドア前面パネル４３の開口部４７の両側における上下方向の中間領域における筒体５０a,５０bの箇所を接着剤で仮固定して、ドアガラス４がドア前面パネル４３から浮くのを防止するのである。
【００５１】
そうした後、図７に示すように、上記ドア前面パネル４３の上部前面に、一部がドア２の上端面を構成する第１中間パネル５８と、この第１中間パネル５８に積層される第２中間パネル５９とを介して、化粧パネル４４をネジ６０によって取り付ける。その場合、化粧パネル４４にはハンドル３が取り付けられており、ハンドル３の図７中下端部が下方に突出している。したがって、この突出部３aとドア前面パネル４３の開口部４７の縁６１とでドアガラス４の図７中上端部が挟まれて固定されるのである。
【００５２】
以上のごとく、本実施の形態においては、上記ドア２の略中央に取り付けられるドアガラス４の左側部に、長手方向に延在する棒状の突起５１cを有するガイド部材５１を取り付ける。そして、ドアガラス４の右側辺をドア前面パネル４３の段部４５に当接させた状態でガイド部材５１の突起５１cをドア前面パネル４３の溝４６に挿入し、ドアガラス４を、ドア前面パネル４３における開口部４７の周囲の枠体４８に設けられたリブ５３,５４a,５４b,５５上に載置する。その後、ドアガラス４を下側にスライドさせて下端部をドア前面パネル４３の保持部５７で保持する。
【００５３】
そうした後、上記ドア前面パネル４３を裏向きに倒して、開口部４７の両側に設けられている貫通穴４９a,４９b内に接着剤を注入して、ドア前面パネル４３に対してドアガラス４を仮固定するようにしている。
【００５４】
その際に、上記貫通穴４９a,４９bは、端面がドアガラス４の表面に当接する筒体５０a,５０bで構成されている。したがって、筒体５０a,５０b内に注入された接着剤がドアガラス４の表面に漏れ出して、ドアガラス４の表面の美感が低下することを防止できる。
【００５５】
また、上記ドア前面パネル４３の筒体５０a,５０bは、開口部４７の上下方向の略中間領域に設けられている。したがって、下端部がドア前面パネル４３の保持部５７によって保持される一方、上端部が化粧パネル４４によって固定されるため、ドア前面パネル４３から浮き易いドアガラス４の両側辺の延在方向の中間領域を接着剤で仮固定して、ドアガラス４がドア前面パネル４３から浮くのを防止できるのである。
【００５６】
さらに、上記ドア前面パネル４３の上部前面に第１,第２中間パネル５８,５９を介して化粧パネル４４を取り付けて、化粧パネル４４の突出部３aでドアガラス４の上端部を本固定するようにしている。
【００５７】
このように、本実施の形態においては、上記ガイド部材５１を取り付けたドアガラス４をドア前面パネル４３上に載置して、開口部４７を塞ぐと共に下端部を保持部５７で保持し、裏側から筒体５０a,５０b内に接着剤を注入してドアガラス４を仮固定した後に、ドア前面パネル４３の上部前面に化粧パネル４４を取り付けて突出部３aでドアガラス４の上端部を固定するだけで、ドアガラス４をドア前面パネル４３に簡単に取り付けることができる。したがって、ドアガラス４の組立性を向上させることができる。
【００５８】
さらに、上記ドアガラス４はドア前面パネル４３に対して２箇所を接着剤で仮固定しているだけである。したがって、後にメンテナンスの際にドアガラス４を取り外す必要が生じた場合には、化粧パネル４４を取り外し、ドアガラス４をドア前面パネル４３の保持部５７から上記接着剤の接着力よりも大きな力で引き抜くだけで、ドアガラス４を簡単にドア前面パネル４３から取り外すことができるのである。
【００５９】
また、上記ドア前面パネル４３の溝４６の幅をガイド部材５１の突起５１cの幅よりも広く設定している。したがって、溝４６と突起５１cとの隙間によって、ドアガラス４をドアパネル４３の段部４５に当接させるように移動でき、ドア前面パネル４３とドアガラス４との組立性を向上できる。尚且つ、ドア前面パネル４３の操作パネル５とドアガラス４との間に隙間が生ずることがなく、ドア２の美感を高めることができるのである。
【００６０】
尚、本実施の形態においては、上記接着剤注入用の貫通穴４９a,４９bを矩形の断面形状を有する筒体５０a,５０bで構成しているが、上記筒体の横断面形状は矩形に限定されるものではない。
【００６１】
また、上記筒体５０a,５０bで構成される貫通穴４９a,４９bの断面積は、注入される接着剤のドアガラス４との接着力と、ドアガラス４を取り外す場合におけるドアガラス４の引き抜き力との兼ね合いで、最適な値に設定すればよい。
【００６２】
また、本実施の形態においては、上記接着剤注入用の筒体５０a,５０bを、ドア前面パネル４３における開口部４７の両側に一つずつ設けている。しかしながら、この発明における接着剤注入用の筒体の設置箇所や個数は、少なくともドアガラス４がドア前面パネル４３から浮くのを防止できれば、ドアガラス４の仮固定性と取り外し性とを両立させることが可能なように適宜設定すればよい。
【符号の説明】
【００６３】
１…ケーシング、
２…ドア、
３…ハンドル、
４…ドアガラス、
５…操作パネル、
６…カラー液晶表示部、
７…ボタン群、
１２…蒸気発生装置、
１３…加熱室、
２４…過熱蒸気生成装置、
３５…マイクロ波の回転アンテナ、
４３…ドア前面パネル、
４４…化粧パネル、
４５…段部、
４６…溝、
４７…開口部、
４８…枠体、
４９a,４９b…貫通穴、
５０a,５０b…筒体、
５１…ガイド部材、
５１c…棒状の突起、
５２,５６…ドア前面パネルの側板、
５３,５４a,５４b,５５…リブ、
５７…保持部、
５８,５９…中間パネル、
６１…開口部の縁。
【図１】
2013036636.tif 000003
【図２】
2013036636.tif 000004
【図３】
2013036636.tif 000005
【図４】
2013036636.tif 000006
【図５】
2013036636.tif 000007
【図６】
2013036636.tif 000008
【図７】
2013036636.tif 000009